(57)【要約】【課題】建物解体時に防塵処理のために多量に散水される散布水を回収して循環再使用するための有効適切な散布水循環システムを提供する。【解決手段】解体作業を実施するべき施工階の床面上に、散布水を散水するためのスプリンクラー２と、散布水を貯留して供給水ポンプ４によりスプリンクラーに圧送するための供給水槽３をそれぞれ配置する。施工階の床面には下階に貫通する貫通孔８を形成してそれを下階への流下口とし、その貫通孔には散布水を集水して回収するための回収具９を装着する。施工階の下階の床面上には、回収具により回収されてホース２１を介して導かれる回収水を貯留して回収水ポンプ２２により供給水槽３に対してホース２３を介して圧送するための回収水槽２０を配置する。【選択図】図１
2009102882.tif 000002
【特許請求の範囲】
【請求項１】
建物解体時に防塵処理のために散水される散布水を回収して循環再使用するための散布水循環システムであって、
解体作業を実施するべき施工階の床面上に、散布水を散水するためのスプリンクラーと、該スプリンクラーに供給するべき散布水を貯留して供給水ポンプによりスプリンクラーに圧送するための供給水槽をそれぞれ配置し、
前記施工階の床面には下階に貫通する貫通孔を形成して、該貫通孔を施工階に散水された散布水の下階への流下口とし、
前記貫通孔の下方には、該貫通孔を通して下階に流下する散布水を集水して回収するための回収具を装着し、
施工階の下階の床面上には、前記回収具により回収されてホースを介して導かれる回収水を貯留するとともに、該回収水を回収水ポンプにより前記供給水槽に対してホースを介して圧送するための回収水槽を配置してなることを特徴とする建物解体時の散布水循環システム。
【請求項２】
請求項１記載の散布水循環システムであって、
施工階において散水された散布水を下階において集水して回収するための回収具は、シャフトの下端部にフレームを傘骨状に展開可能に連結するとともに、該フレームに水密性を有する柔軟なシート材を漏斗状に展開可能に取り付けた構成とされ、
前記シャフトの上端部を前記貫通孔内に挿通させ、かつ前記フレームを展開して前記シート材を漏斗状に展開させた状態で、前記回収具を前記貫通孔から下階の上部に吊り支持して設置してなることを特徴とする建物解体時の散布水循環システム。
【請求項３】
請求項１または２記載の散布水循環システムであって、
施工階の床面上に所定領域を取り囲むように止水具を配置して、該止水具の内側に施工階における散水領域を区画設定し、散布水の下階への流下口としての貫通孔を該散水領域の内側に形成してなることを特徴とする建物解体時の散布水循環システム。
【請求項４】
請求項１，２または３記載の散布水循環システムであって、
施工階に配置される供給水槽とスプリンクラーとを、施工階の床面上を移動可能な台車に搭載してなることを特徴とする建物解体時の散布水循環システム。
【発明の詳細な説明】
【技術分野】
【０００１】
本発明は、建物解体時に発生する粉塵の飛散防止のために解体現場において多量に散水される散布水を回収して循環再使用するための散布水循環システムに関する。
【背景技術】
【０００２】
周知のように、建物解体時には主としてコンクリート部材の破砕や圧砕に伴って多量の粉塵が発生するので、防塵のための散水を行うことが不可欠であり、たとえば特許文献１にはそのための散水方法と散水装置についての開示がある。
【特許文献１】特開平９−７２１０９号公報
【発明の開示】
【発明が解決しようとする課題】
【０００３】
ところで、従来においては防塵処理のために多量に散水した散布水を回収するようなことなく撒き散らしたままとし、解体物に付着して搬出されるか、下水管路にまで達して排水されるわずかな量以外は、最終的には自然蒸発するにまかせているのが実状である。
そのため、大規模な解体現場では散水のための多量の上水を使用して少なからぬ水道料金を要するばかりでなく、そのようなことは水資源の有効利用すなわち節水の観点からも好ましくない。
【０００４】
上記事情に鑑み、本発明の目的は、建物解体時に防塵処理のために多量に散水される散布水を合理的に回収して循環再使用することにより、散水に要するコストを削減し得るとともに節水を図ることのできる有効適切な散布水循環システムを提供することにある。
【課題を解決するための手段】
【０００５】
請求項１記載の発明は、建物解体時に防塵処理のために散水される散布水を回収して循環再使用するための散布水循環システムであって、解体作業を実施するべき施工階の床面上に、散布水を散水するためのスプリンクラーと、該スプリンクラーに供給するべき散布水を貯留して供給水ポンプによりスプリンクラーに圧送するための供給水槽をそれぞれ配置し、前記施工階の床面には下階に貫通する貫通孔を形成して、該貫通孔を施工階に散水された散布水の下階への流下口とし、前記貫通孔の下方には、該貫通孔を通して下階に流下する散布水を集水して回収するための回収具を装着し、施工階の下階の床面上には、前記回収具により回収されてホースを介して導かれる回収水を貯留するとともに、該回収水を回収水ポンプにより前記供給水槽に対してホースを介して圧送するための回収水槽を配置してなることを特徴とする。
【０００６】
請求項２記載の発明は、請求項１記載の発明の散布水循環システムであって、施工階において散水された散布水を下階において集水して回収するための回収具は、シャフトの下端部にフレームを傘骨状に展開可能に連結するとともに、該フレームに水密性を有する柔軟なシート材を漏斗状に展開可能に取り付けた構成とされ、前記シャフトの上端部を前記貫通孔内に挿通させ、かつ前記フレームを展開して前記シート材を漏斗状に展開させた状態で、前記回収具を前記貫通孔から下階の上部に吊り支持して設置してなることを特徴とする。
【０００７】
請求項３記載の発明は、請求項１または２記載の発明の散布水循環システムであって、施工階の床面上に所定領域を取り囲むように止水具を配置して、該止水具の内側に施工階における散水領域を区画設定し、散布水の下階への流下口としての貫通孔を該散水領域の内側に形成してなることを特徴とする。
【０００８】
請求項４記載の発明は、請求項１，２または３記載の発明の散布水循環システムであって、施工階に配置される供給水槽とスプリンクラーとを、施工階の床面上を移動可能な台車に搭載してなることを特徴とする。
【発明の効果】
【０００９】
本発明によれば、施工階において散水した散布水をその下階において有効に回収して循環再使用でき、したがって散布水の所要水量を削減し得て充分なる節水効果が得られ、水道料金を充分に節約することができる。また、散布水を回収するために床面に貫通孔を設けてそこに回収具を設置すること以外は単なる水槽とポンプを２台ずつ用意すれば良いので、本システムを実施するに要する設備費や運転費も些少である。
【００１０】
特に、回収具としては傘の如き簡単な構成の折りたたみ可能な構成ほものを用いることにより、その設置や撤去、盛り代え作業を容易に行うことができるし、コンパクトに保管することもできる。
【００１１】
また、止水具により散水領域を区画設定することにより、その内側に散水した散布水の外部への流出を防止して散布水を無駄なく有効に回収することができる。
【００１２】
さらに、供給水槽とスプリンクラーとを台車に搭載することにより、解体作業時には台車を移動させることのみで供給水槽とスプリンクラーを同時に散水領域内の所望位置に自由にかつ迅速に移動させることができ、したがって所望位置への散水を効率的に行うことができる。
【発明を実施するための最良の形態】
【００１３】
図１〜図５を参照して本発明の一実施形態を説明する。本実施形態の散布水循環システムは、鉄筋コンクリート造の多層建物を解体するに際して、解体作業を行う施工階において防塵処理のための散水を行い、その散布水を施工階の下階に流下させてそこで回収し、回収水を施工階に圧送して散布水として循環再使用することを主眼とするものである。
【００１４】
本実施形態では、まず解体作業を実施するべき施工階の床面上に止水具１を配置して、その止水具１の内側を散水領域として区画設定することにより、その内側に対してのみ散水を行うこととして散水領域外への散水は行わないものとする。
【００１５】
止水具１は、区画設定するべき散水領域を取り囲むようにして施工階の床面に連続的に配置されることにより、その内側に散水された散布水を堰き止めて外部に流出することを防止するためのものであり、それが可能なものであれば具体的な形態や構成は特に限定されないが、本実施形態では図２に示すように現場で多用される汎用資材である長さ2〜4m程度の角パイプ材１ａ（ないし角材）の底面にゴムシート１ｂを貼り付けたものを採用している。
そのような止水具１によれば、角パイプ材１ａ（ないし角材）を床面上に配置することのみでその自重によりゴムシート１ｂが弾性的に圧縮されて床面との間の隙間を水密裡に塞ぐことができ、したがって散布水の流出を有効に防止することができる。また、ゴムシート１ｂが滑り止めとしても機能して不用意に位置ずれが生じることがないし、仮に大きな解体ガラが止水具１上に落下したような場合であっても容易に壊れたりゴムシート１ｂが損傷を受ける懸念もない。
【００１６】
なお、上記の止水具１により散水領域を区画形成することにより、その内側に散水した散布水の外部への流出が防止されて散布水を無駄なく有効に回収することができるが、たとえば床面に傾斜がある場合のように散布水が周囲に不用意に流出しないような状況の場合には、必ずしも散水領域を閉鎖領域として区画設定する必要はなく、そのような場合には止水具１の一部あるいは全部を省略しても良い。
【００１７】
上記の止水具１により区画設定した散水領域の内側の床面上には、この散水領域内において散布水を散水するためのスプリンクラー２と、そのスプリンクラー２に対して散布水を供給するための供給水槽３を配置する。
供給水槽３は供給水ポンプ４（図示例では供給水槽３内に配置された水中ポンプ）を備えていて、この供給水槽３が貯留している貯留水をホース５を介してスプリンクラー２に加圧供給し、それによりスプリンクラー２が散水領域内の所望位置に対して所定水量の散布水を所定水圧で散水し得るものとなっている（図示例では集積した解体ガラに対して散水している状態を示している）。
なお、図示例では供給水槽３を台車６に搭載するとともに、その台車６にスタンド７を介してスプリンクラー２を設置しており、したがって解体作業時には台車６を移動させることのみで供給水槽３とスプリンクラー２を同時に散水領域内の所望位置に自由にかつ迅速に移動させることができ、所望位置への散水を効率的に行うことができるものとなっている。また、図示は省略しているが、供給水槽３に対して補給水を適宜供給し得るような給水設備を備えておくと良い。
【００１８】
散水領域内の床面の所定位置（図示例では解体ガラの集積位置の直下）には、下階に貫通する貫通孔８が形成されていて、その貫通孔８は散水領域内に散水された散布水の下階への流下口とされ、そこには下階に流下する散布水を受け止めて集水し回収するための回収具９が装着されている。床面に傾斜があるような場合には貫通孔８をなるべく下流側に設けることが好ましい。
回収具９は流下水を受け止めて取水できるものであればその構成は限定されないが、本実施形態では図３（ａ）,（ｂ）に示すように傘のように展開自在な構成のもの、すなわち、傘の柄に相当するシャフト１０の下端部に、傘骨に相当するフレーム１１を放射状に連結し、そのフレーム１１に止水性を有する柔軟かつ高強度のシート材１２（キャンバス材が好適に採用可能である等）を取り付けた構成とされたものである。
より詳細には、シャフト１０の下部にはランナー１３が上下方向にスライド自在に装着されているとともに、シャフト１０の上端部にはストリング１４を介してランナー１３を上下動させるためのハンドル１５が設けられていて、そのランナー１３とフレーム１１との間にストレッチャー１６が連結されている。したがって、（ａ）に示す展開状態から（ｂ）に示すようにハンドル１５を回転操作することにより、ランナー１３がストリング１４を介して引き上げられ、それによりストレッチャー１６を介してフレーム１１およびシート材１２が上方に回動せしめられて閉じられるようになっている。
【００１９】
この回収具９は、シャフト１０の上端部が貫通孔８内に挿通されて施工階の床面上に突出せしめられ、そこに支持棒１７を貫通させることによってその全体が施工階の床面から吊り支持された状態で下階上部の天井付近に設置され、その位置で（ａ）に示すようにフレーム１１およびシート材１２を漏斗状に展開することによって、流下口である貫通孔８から下階に流下してくる散布水を貫通孔８の直下で受け止めて集水し、回収し得るものである。
また、この階での作業終了後に回収具９を撤去したり、あるいは他の位置に盛り変える際には、ハンドル１５の操作により（ｂ）に示すように回収具９全体を小さく折り畳んだうえで支持棒１７を抜き取ることにより、その撤去撤去や移設作業を容易に行うことができるし、非使用時には折り畳んだ状態で保管することにより保管スペースを節約できる。
【００２０】
上記の回収具９により回収した散布水は、図４に示すように施工階の下階に配置した回収水槽２０に対してホース２１により導かれるようになっている。
すなわち、回収具９におけるシャフト１０の下端部はホース２１を接続するための接続管としても機能するものとなっていて、回収具９に回収された回収水はシャフト１０の下端部周面に形成されているストレーナー１０ａを通してシャフト１０内に流入し、ホース２１を通して回収水槽２０に導かれるようになっている。
なお、上記の貫通孔８の径は5〜10cm程度で良いが、その貫通孔８とシャフト１０との間の隙間を通して小さなガラが落下することを防止するために、そこには細かいメッシュや排水目皿の類を取り付けることが好ましい。仮に小さなガラが貫通孔８を通過して落下した場合には、回収水とともに回収具９に受け止められて、ストレーナー１０ａを通過し得ない大きなものはシャフト１０への流入は阻止されてそのままそこに残るので、必要に応じて定期的に回収具９を点検してガラを除去すれば良い。
また、図示例では貫通孔８を１カ所のみとしているが、解体作業範囲が広いような場合には貫通孔８を複数箇所に設けても勿論良い。特に、施工階での解体作業に支障を来さない範囲内でその床面に対する解体を早期に実施して予め各所に貫通孔８を形成しておけば、本格的な解体作業時には散水領域の変更に対応して回収位置を速やかに変更し、散水箇所の直近位置で散布水を有効に回収することが可能である。その場合には、その時点で使用する貫通孔８の周囲に止水具１を配置するとともにその貫通孔８に回収具９を装着し、解体作業の進捗に合わせてそれら止水具１と回収具８を順次他の貫通孔８の位置に盛り代えていくと良い。その場合、下階に設置する回収水槽２０も必要であれば各貫通孔８に対応させて複数設置することでも良いが、通常は１台のみとして各貫通孔８からの回収水を集約すれば良い。
【００２１】
回収水槽２０は回収具９からホース２１を通して導かれた回収水を貯留するとともに、その貯留水（回収水）を回収水ポンプ２２によってホース２３を介して供給水槽３まで圧送するようになっている。
なお、回収水槽２０は、施工階に配置されている上記の供給水槽３と同様に台車６上に搭載されて移動可能に設置すると良い。
また、回収水槽２０内に設置する回収水ポンプ２２は、図５に示すようにストレーナーを兼ねる台座２４を介して回収水槽２０内に配置することが好ましく、それにより回収水槽２０に細かいガラ等が混入したとしてもそれを吸い込んで供給水槽３にそのまま圧送することを有効に防止することができる。
さらに、必要であれば、回収水槽２０に沈殿槽等の適宜の固液分離手段を設けたり、あるいは回収水槽２０を２つの水槽により構成して前段の水槽を固液分離槽としてその上澄み水のみを後段の水槽に送るようにしても良く、そのようにすれば供給水槽４に圧送される回収水中へのガラの混入を充分に防止することができる。そのような固液分離手段やストレーナーを兼ねる台座２４については、必要であれば供給水槽３やその内部に配置する供給水ポンプ４についても同様に設置すれば良い。
【００２２】
また、図４に示しているように、回収具９と回収水槽２０との間に布設されるホース２１の上端部を回収具９に対して確実に接続するために、シャフト１０の下端部にフック３０を設けておいてホース２１に取り付けたリング３１（番線等を利用して簡易に形成したもので良い）を係止することが好ましく、それによりホース２１の不用意な脱落を防止できるし、ホース２１の自重を回収具９を介して施工階の床から安定に支持することができる。ホース２１の下端部は回収水槽２０内に差し込めば良いが、そこにも同様のフック３０とリング３１を設けておいて不用意な脱落を防止すると良い。
なお、ホース２１，２３としては蛇腹状の高強度のものを用いることが好ましい。
【００２３】
さらに、回収水槽２０から供給水槽３まで回収水を圧送するためのホース２３は下階から施工階まで布設する必要があるので、そのためには図１に示すように施工階の床面にホース２３を通すための貫通孔３２を設ければ良い（上述したように複数の貫通孔８を設ける場合にはそれを利用することも可能である）が、そのような貫通孔３２を敢えて設けずともホース２３を通すことのできるような開口部や経路（たとえばエレベータシャフトや階段、あるいは窓外の外部空間）がある場合にはそれを利用すれば良い。
【００２４】
以上で説明した本実施形態のシステムによれば、施工階において散水した散布水をその下階において有効に回収して循環再使用でき、したがって散布水の所要水量を充分に削減し得て充分なる節水効果が得られ、水道料金を充分に節約することができる。
また、本システムでは、散布水を回収するために床面に流下口としての貫通孔８を設けてその下方に回収具９を設置すること以外は、単なる水槽とポンプを２台ずつ用意してそれらをホース２１，２３により接続するだけで良いし、その回収具９も傘の如き簡単な構成のものをで充分であるので、本システムを実施するに要する設備費や運転費も些少である。しかも、回収具９を折りたたみ可能なものとしておくことにより、その取り扱いが容易であるし保管にも便利であるので、極めて有効である。
特に、解体対象の建物がホテルや集合住宅の場合には、各客室や各住戸に設置されていた浴槽が解体廃棄物として多数発生するので、それを供給水槽３や回収水槽２０として有効利用することができ、その場合は格別の水槽を用意する必要がないのでそれに要するコストは発生しない。
【００２５】
なお、多層階の建物の解体に際しては、通常、最上階から順次下層階に向かって作業を進めていくので、ある施工階での解体作業が完了したらシステム全体を順次下階に盛り代えて同様の作業を繰り返していけば良い。
具体的には、先の施工階（Ｎ階）に対する解体作業が完了したら、その下階（Ｎ−１階）を新たな施工階として、そこに必要に応じて止水具１により散水領域を区画設定し、その内側の床面に貫通孔８を形成し、スプリンクラー２と供給水槽３を上階からこの階に降ろして盛り代え、回収具９と回収水槽２０をさらにその下階（Ｎ−２階）に降ろして盛り代え、かつホース２１，２３を新たな施工階（Ｎ−１階）とその下階（Ｎ−２階）との間に盛り代えれば良い。
【００２６】
そして、その際には、先の施工階（Ｎ階）に設置していた供給水槽３とその下階（Ｎ−１階）に設置していた回収水槽２０とをそれぞれ１層分ずつ下階に盛り代えることでも良いのであるが、供給水槽３と回収水槽２０および供給水ポンプ４と回収水ポンプ２２に互換性を持たせておいてそれらを交互に切り替えて使用することも考えられる。
すなわち、先の施工階（Ｎ階）に設置していた供給水槽３を新たな施工階（Ｎ−１階）のさらに下階（Ｎ−２階）まで２層分盛り代えて、それを今度は回収水槽２０として使用するとともに供給水ポンプ４を回収水ポンプ２２として使用し、先の施工階（Ｎ階）の下階（Ｎ−１階）に設置していた回収水槽２０はその階が新たな施工階となるのでそのままそこに残置して、今度は供給水槽３として使用するとともに回収水ポンプ２２は供給水ポンプ３として使用し、それを搭載している台車６にスプリンクラー２を設置すれば良い。
そのようにすれば、供給水槽３と回収水槽２０の双方を同時に盛り代える必要はなく、いずれか一方を交互に２層づつ盛り代えることで済むので盛り代え作業を軽減することができる。
さらには、上述したように解体作業現場がホテルや集合住宅である場合には、各階で発生する解体廃棄物としての浴槽をその階のみで供給水槽３や回収水槽２０として利用して利用後にそのまま撤去する、つまり水槽を各階で使い捨てにしてそのつど新たな水槽を調達していくことも考えられ、その場合は水槽自体の盛り代え作業を省略して供給水ポンプ４と回収水ポンプ２２のみを持ち運ぶことで足りる。
【図面の簡単な説明】
【００２７】
【図１】本発明の実施形態を示すもので、散布水循環システムの全体概要図である。
【図２】同、止水具の構成例を示す図である。
【図３】同、回収具の構成例を示す図である。
【図４】同、回収経路を示す図である。
【図５】同、回収ポンプおよび供給ポンプの設置例を示す図である。
【符号の説明】
【００２８】
１  止水具
１ａ  角パイプ材（ないし角材）
１ｂ  ゴムシート
２  スプリンクラー
３  供給水槽
４  供給水ポンプ
５  ホース
６  台車
７  スタンド
８  貫通孔（流下口）
９  回収具
１０  シャフト
１０ａ  ストレーナー
１１  フレーム
１２  シート材
１３  ランナー
１４  ストリング
１５  ハンドル
１６  ストレッチャー
１７  支持棒
２０  回収水槽
２１  ホース
２２  回収水ポンプ
２３  ホース
２４  台座（ストレーナー）
３０  フック
３１  リング
３２  貫通孔
【図１】
2009102882.tif 000003
【図２】
2009102882.tif 000004
【図３】
2009102882.tif 000005
【図４】
2009102882.tif 000006
【図５】
2009102882.tif 000007